(57)【要約】【課題】必要十分量のコインを停止操作することなく自動的に取り出す。【解決手段】コイン遊技機用のコインを収容する収容タンク８を設け、同収容タンク８内のコインをコインジョッキ１４に吐出するフィーダ９を設け、同フィーダ９の吐出口下方のコインジョッキ１４の載置位置にコインジョッキ１４及びコインジョッキ１４内のコインの重量を計測する重量計１０を設け、同重量計１０の検出した重量データが設定重量を超えたらフィーダ９の作動を停止させる制御装置１２を設けた。【選択図】　　　　　図３
2004041607.tif 000002
【特許請求の範囲】
【請求項１】
コイン遊技機に使用するコインを収容し、必要に応じて所要量のコインをコイン運搬容器に取り出せるようにしたコイン取り出し装置であって、コイン遊技機用のコインを収容する収容タンクを設け、同収容タンク内のコインをコイン運搬容器に吐出するフィーダを設け、同フィーダの吐出口下方のコイン運搬容器の載置位置にコイン運搬容器及びコイン運搬容器内のコインの重量を計測する重量計を設け、同重量計の検出した重量データが設定重量を超えるとフィーダの作動を停止させる制御装置を設け、所要量のコインが吐出されると自動的に吐出を停止できるようにしたことを特徴とするコイン取り出し装置。
【請求項２】
重量計に載置したコイン運搬容器の重量を検出してフィーダを自動的に始動させる始動装置を設けた請求項１記載のコイン取り出し装置。
【請求項３】
外部から回収したコインを研磨して汚れを落とすコイン研磨装置を設け、同コイン研磨装置により研磨されたコインを収容タンクに送り出すコンベヤを設けた請求項１又は２記載のコイン取り出し装置。
【請求項４】
貨幣を投入する投入口を設け、投入された貨幣の金額をカウントするカウンタ装置を設け、同カウンタ装置のカウントに応じた重量値を制御装置に設定するコイン払い出し制御装置を設け、投入金額に応じた量のコインを遊技者に払い出すコイン貸し機として使用できるようにした請求項１〜３いずれか記載のコイン取り出し装置。
【発明の詳細な説明】
【０００１】
【発明の属する技術分野】
本発明は、コイン遊技機に使用するコインを収容し、必要に応じて所要量のコインを取り出せるようにしたコイン取り出し装置に関し、詳しくは所要量のコインが吐出されると自動的に吐出を停止できるようにする技術に関する。
【０００２】
【従来の技術】
従来のコイン取り出し装置としては、収容タンク内に収容されたコインをコイン運搬容器に吐出するフィーダを設け、同フィーダ下方にコイン運搬容器を載置して所要量のコインを吐出させて取り出すようにした構造が一般的で、吐出量の加減手段としては主としてタイマーと押しボタンの二方式がある。
ところで、タイマー式は吐出時間で量加減を行うために、吐出量が一定とならず過不足が発生し、特にコイン運搬容器からの溢れ防止のために上限量を少なめに制限することで不足状態が多く発生する問題があった。また、他方押しボタン式は取り出しの度に停止操作を必要とし、人手を煩わす欠点を有していた。
【０００３】
【発明が解決しようとする課題】
本発明の解決しようとする課題は、従来のこれらの問題点を解消し、所要量のコインが吐出されると自動的に吐出を停止して必要十分な量のコインを容易に取り出すことのできるコイン取り出し装置を提供することにある。
【０００４】
【課題を解決するための手段】
かかる課題を解決した本発明の構成は、
１）　コイン遊技機に使用するコインを収容し、必要に応じて所要量のコインをコイン運搬容器に取り出せるようにしたコイン取り出し装置であって、コイン遊技機用のコインを収容する収容タンクを設け、同収容タンク内のコインをコイン運搬容器に吐出するフィーダを設け、同フィーダの吐出口下方のコイン運搬容器の載置位置にコイン運搬容器及びコイン運搬容器内のコインの重量を計測する重量計を設け、同重量計の検出した重量データが設定重量を超えるとフィーダの作動を停止させる制御装置を設け、所要量のコインが吐出されると自動的に吐出を停止できるようにしたことを特徴とするコイン取り出し装置
２）　重量計に載置したコイン運搬容器の重量を検出してフィーダを自動的に始動させる始動装置を設けた前記１）記載のコイン取り出し装置
３）　外部から回収したコインを研磨して汚れを落とすコイン研磨装置を設け、同コイン研磨装置により研磨されたコインを収容タンクに送り出すコンベヤを設けた前記１）又は２）記載のコイン取り出し装置
４）　貨幣を投入する投入口を設け、投入された貨幣の金額をカウントするカウンタ装置を設け、同カウンタ装置のカウントに応じた重量値を制御装置に設定するコイン払い出し制御装置を設け、投入金額に応じた量のコインを遊技者に払い出すコイン貸し機として使用できるようにした前記１）〜３）いずれか記載のコイン取り出し装置
にある。
【０００５】
【作用】
本発明によれば、重量計にコイン運搬容器を載置した後フィーダを始動させて収容タンク内のコインの吐出を開始させると、重量計はコイン運搬容器内にコインが貯溜されていく過程でその重量データを常時制御装置に送信し、制御装置は吐出されたコイン又は吐出されたコインを含むコイン運搬容器の重量が予め設定された値に達するとフィーダの作動を停止させる。
【０００６】
【発明の実施の形態】
本発明のコイン取り出し装置には、外部から回収したコインを研磨して汚れを落とすコイン研磨装置を設けたり、貨幣処理装置を設けて投入金額に応じた量のコインを遊技者に払い出すコイン貸し機として使用できるようにしてもよい。コインの吐出開始（フィーダの始動）は押しボタンによる半自動又はコイン運搬容器の荷重感知による完全自動で行う。
以下、本発明の実施例を図面に基づいて具体的に説明する。
【０００７】
【実施例】
図１〜４に示す実施例は、スロットマシン群の一端に設置したコイン取り出し装置に本発明を適用した例である。
図１は、実施例のコイン取り出し装置の内部の斜視図である。
図２は、実施例のコイン取り出し装置の設置状態を示す斜視図である。
図３は、実施例のコイン取り出し装置の動作を示す説明図である。
図４は、実施例の重量計の説明図である。
【０００８】
図中、１はコイン取り出し装置、２はコイン計数機、３は回収タンク、４はフィーダ、５はリフト、６はコイン研磨装置、７はリフト、８は収容タンク、９はフィーダ、１０は重量計（商標名：ＬＴＳ−０２０，販売元：株式会社ティアンドティ）、１０ａは受感部、１０ｂはスペーサ、１０ｃはセンサー板、１０ｄは載置台、１１は重量計１０を制御するコントローラ、１２はフィーダ９を制御する制御装置、１３はケーシング、１３ａは扉、１４はジョッキ状のコイン運搬容器であるコインジョッキ、１５はスロットマシン、１５ａはスロットマシン１５の前面パネルを開閉自在にする蝶番、Ｃはφ２５，５ｇのコインである。
【０００９】
重量計１０は、図４に示すように受感部１０ａの上下対向面にスペーサ１０ｂを介してセンサー板１０ｃを図示しないボルトで組み立て、その上面にセンサーカバーである載置台１０ｄを取り付けている。制御装置１２はコインジョッキ１４を載置台１０ｄに載置すると荷重を感知してフィーダ９を自動的に始動させるとともに、コインジョッキ１４内のコインＣの総重量Ｗとコインジョッキ１杯分の枚数（およそ５００〜７００枚）相当の設定重量ｗとを比較してＷ≧ｗを満足するとフィーダ９の作動を停止するようにプログラムされている。
【００１０】
本実施例では、図３に示すようにコイン計数機２に使用済のコインＣを投入すると計数が行なわれて下方の回収タンク３に回収される。回収タンク３内のコインＣはフィーダ４でリフト５に供給され、同リフト５でコインＣがコイン研磨装置６に移送される。コイン研磨装置６は投入されたコインＣの汚れを研磨により除去してリフト７に吐出し、同リフト７により上方の収容タンク８に移送して収容される。
【００１１】
ここで、スロットマシン１５がコインＣの不足によりゲームが中断して補充を要すると、遊技場の管理者はコイン取り出し装置１の扉１３ａを開けて載置台１０ｄ上にコインジョッキ１４を載置する。重量計１０はそのコインジョッキ１４の荷重を検出して制御装置１２に信号を送信し、同信号を受信した制御装置１２はフィーダ９を始動させて収容タンク８内のコインＣの吐出を開始させる。重量計１０のコントローラ１１はコインジョッキ１４内にコインＣが貯溜されていく過程でその重量データを常時制御装置１２に送信し、制御装置１２はコインＣの総重量が予め設定された値を超えるとフィーダ９の作動を停止させる。そして、コインジョッキ１４をケーシング１３から取り出し、ゲーム中断中のスロットマシン１５の前面パネルを開いて内部にコインＣを補充する。
【００１２】
図５に示すのは、実施例のコイン取り出し装置からコイン研磨装置を省略した簡易型の例である。
図５は、実施例の他の例のコイン取り出し装置の説明図である。
実施例の他の例では、回収された回収タンク３内のコインＣは収容タンク８に移送するリフト７にフィーダ４で直接供給させる構造としている。
その他、符号、構成、作用効果は実施例のコイン取り出し装置と同じである。
【００１３】
図６に示すのは、実施例においてスロットマシン間に設置したコイン貸し機に本発明を適用した例である。
図６は、実施例の他の例のコイン取り出し装置の説明図である。
図中、１６はコイン貸し機、１７は貨幣の投入口、１８は投入された貨幣の金額をカウントするカウンタを備えたコイン払い出し制御装置、１９はコイン供給ライン、２０はコイン取込路である。
【００１４】
実施例の他の例では、収容タンク８へのコインＣの供給は外部のコイン供給ライン１９からコイン取込路２０を通じて行うようにしている。
遊技者が重量計１０の載置台１０ｄ上にコインジョッキ１４を載置して投入口１７に貨幣を投入すると、コイン払い出し制御装置１８は金額をカウントして投入された貨幣金額に応じた信号を制御装置１２に送信し、同信号を受信した制御装置１２はコインＣの吐出を停止すべき重量値を設定後、フィーダ９を始動させてコインＣの吐出を開始させる。
その他、符号、構成、作用効果は実施例のコイン取り出し装置と同じである。
【００１５】
【発明の効果】
以上説明したように、本発明によれば所要量のコインが吐出されると自動的に吐出を停止して必要十分な量のコインを容易に取り出せるコイン取り出し装置を提供できる。
【図面の簡単な説明】
【図１】実施例のコイン取り出し装置の内部の斜視図である。
【図２】実施例のコイン取り出し装置の設置状態を示す斜視図である。
【図３】実施例のコイン取り出し装置の動作を示す説明図である。
【図４】実施例の重量計の説明図である。
【図５】実施例の他の例のコイン取り出し装置の説明図である。
【図６】実施例の他の例のコイン取り出し装置の説明図である。
【符号の説明】
１　コイン取り出し装置
２　コイン計数機
３　回収タンク
４　フィーダ
５　リフト
６　コイン研磨装置
７　リフト
８　収容タンク
９　フィーダ
１０　重量計
１０ａ　受感部
１０ｂ　スペーサ
１０ｃ　センサー板
１０ｄ　載置台
１１　コントローラ
１２　制御装置
１３　ケーシング
１３ａ　扉
１４　コインジョッキ
１５　スロットマシン
１５ａ　蝶番
１６　コイン貸し機
１７　投入口
１８　コイン払い出し制御装置
１９　コイン供給ライン
２０　コイン取込路
Ｃ　コイン
【図１】
2004041607.tif 000003
【図２】
2004041607.tif 000004
【図３】
2004041607.tif 000005
【図４】
2004041607.tif 000006
【図５】
2004041607.tif 000007
【図６】
2004041607.tif 000008